(57)【要約】【課題】  固体撮像素子等を用いたビデオカメラや電子スチルカメラ等に好適で、広角端状態における画角が広く、超小型で、高画質なズームレンズ、光学機器及びズームレンズの製造方法を提供する。【解決手段】  光軸に沿って物体側より順に並んだ、正の屈折力を持つ第１レンズ群Ｇ１と、負の屈折力を持つ第２レンズ群Ｇ２と、正の屈折力を持つ第３レンズ群Ｇ３と、正の屈折力を持つ第４レンズ群Ｇ４とを有するズームレンズにおいて、第１レンズ群Ｇ１は、広角端状態から望遠端状態へのズーミングに際して、一旦像側に向かって移動した後に、物体側に移動し、広角端状態における焦点距離をｆｗとし、望遠端状態における焦点距離をｆｔとし、広角端状態におけるレンズ全長をＴＬｗとし、望遠端状態におけるレンズ全長をＴＬｔとし、第２レンズ群Ｇ２のレンズ構成長をＬＧ２としたとき、次式  ０．０５０＜ｆｗ／ＴＬｗ＜０．１００  ，  ０．１０＜ｆｔ／ＴＬｔ＜０．８０  及び  ０．１０＜ｆｗ／ＬＧ２＜０．６４  の条件を満足する。【選択図】  図１
2011232502.tif 000002
【特許請求の範囲】
【請求項１】
光軸に沿って物体側より順に並んだ、正の屈折力を持つ第１レンズ群と、負の屈折力を持つ第２レンズ群と、正の屈折力を持つ第３レンズ群と、正の屈折力を持つ第４レンズ群とを有するズームレンズにおいて、
前記第１レンズ群は、広角端状態から望遠端状態へのズーミングに際して、一旦像側に向かって移動した後に、物体側に移動し、
前記ズームレンズの広角端状態における焦点距離をｆｗとし、前記ズームレンズの望遠端状態における焦点距離をｆｔとし、前記ズームレンズの広角端状態におけるレンズ全長をＴＬｗとし、前記ズームレンズの望遠端状態におけるレンズ全長をＴＬｔとし、前記第２レンズ群のレンズ構成長をＬＧ２としたとき、次式
０．０５０  ＜  ｆｗ  ／  ＴＬｗ  ＜  ０．１００
０．１０  ＜  ｆｔ  ／  ＴＬｔ  ＜  ０．８０
０．１０  ＜  ｆｗ  ／  ＬＧ２  ＜  ０．６４
の条件を満足することを特徴としたズームレンズ。
【請求項２】
前記第１レンズ群の焦点距離をｆＧ１としたとき、次式
０．０１  ＜  ｆｗ  ／  ｆＧ１  ＜  ０．１１
の条件を満足することを特徴とした請求項１に記載のズームレンズ。
【請求項３】
前記第１レンズ群の焦点距離をｆＧ１としたとき、次式
０．３    ＜  ｆｔ  ／  ｆＧ１  ＜  １．０
の条件を満足することを特徴とする請求項１又は２に記載のズームレンズ。
【請求項４】
広角端状態から望遠端状態へのズーミングに際して、前記第１レンズ群、前記第２レンズ群、前記第３レンズ群及び前記第４レンズ群の各群が移動することを特徴とする請求項１〜３のいずれか一項に記載のズームレンズ。
【請求項５】
前記第１レンズ群が接合レンズのみで構成されていることを特徴とする請求項１〜４のいずれか一項に記載のズームレンズ。
【請求項６】
前記第４レンズ群が単レンズのみで構成されていることを特徴とする請求項１〜５のいずれか一項に記載のズームレンズ。
【請求項７】
前記第４レンズ群は、正レンズを有し、
前記正レンズは、メニスカス形状を有することを特徴とする請求項１〜６のいずれか一項に記載のズームレンズ。
【請求項８】
前記第４レンズ群は、正レンズを有し、
前記正レンズは、像側に凹面を向けたメニスカス形状を有することを特徴とする請求項１〜６のいずれか一項に記載のズームレンズ。
【請求項９】
前記第４レンズ群は、非球面を有することを特徴とする請求項１〜８のいずれか一項に記載のズームレンズ。
【請求項１０】
前記第１レンズ群は、物体側より順に並んだ、負レンズと、正レンズとを有することを特徴とする請求項１〜９のいずれか一項に記載のズームレンズ。
【請求項１１】
前記第４レンズ群を光軸方向に移動させて、無限遠物体から近距離物体への合焦を行うことを特徴とする請求項１〜１０のいずれか一項に記載のズームレンズ。
【請求項１２】
請求項１〜１１のいずれか一項に記載のズームレンズを搭載することを特徴とする光学機器。
【請求項１３】
光軸に沿って物体側より順に並んだ、正の屈折力を持つ第１レンズ群と、負の屈折力を持つ第２レンズ群と、正の屈折力を持つ第３レンズ群と、正の屈折力を持つ第４レンズ群とを有するズームレンズの製造方法であって、
前記第１レンズ群は、広角端状態から望遠端状態へのズーミングに際して、一旦像側に向かって移動した後に、物体側に移動し、
前記ズームレンズの広角端状態における焦点距離をｆｗとし、前記ズームレンズの望遠端状態における焦点距離をｆｔとし、前記ズームレンズの広角端状態におけるレンズ全長をＴＬｗとし、前記ズームレンズの望遠端状態におけるレンズ全長をＴＬｔとし、前記第２レンズ群のレンズ構成長をＬＧ２としたとき、次式
０．０５０  ＜  ｆｗ  ／  ＴＬｗ  ＜  ０．１００
０．１０  ＜  ｆｔ  ／  ＴＬｔ  ＜  ０．８０
０．１０  ＜  ｆｗ  ／  ＬＧ２  ＜  ０．６４
の条件を満足するように、レンズ鏡筒内に各レンズを組み込み、動作確認を行うことを特徴とするズームレンズの製造方法。
【発明の詳細な説明】
【技術分野】
【０００１】
本発明は、ズームレンズ、光学機器及びズームレンズの製造方法に関する。
【背景技術】
【０００２】
昨今、デジタルスチルカメラ等の携帯性が重要視されており、カメラ本体の小型化、薄型化及び軽量化を達成するために、撮影レンズであるズームレンズの小型化及び軽量化が図られてきた。このような要求に応えるズームレンズの１つとして、物体側より順に並んだ、正の屈折力の第１レンズ群と、負の屈折力の第２レンズ群と、正の屈折力の第３レンズ群と、正の屈折力の第４レンズ群とから構成される、正負正正の４群タイプのズームレンズが開示されている（例えば、特許文献１を参照）。
【先行技術文献】
【特許文献】
【０００３】
【特許文献１】特開２００９−２８８６１８号公報
【発明の概要】
【発明が解決しようとする課題】
【０００４】
しかしながら、従来のズームレンズでは、広角端状態における画角が標準的な範囲であるため、被写体が近くにある場合、撮影者が撮影したい範囲が画角からはずれてしまう。その際に、撮影者が被写体から遠ざかることが困難な場合は、画角を広げるために像高を大きくしなければならず、光学系全体の大型化に繋がるおそれがあった。
【０００５】
本発明は、このような問題に鑑みてなされたものであり、固体撮像素子等を用いたビデオカメラや電子スチルカメラ等に好適で、広角端状態における画角が広く、超小型で、高画質なズームレンズ、光学機器及び製造方法を提供することを目的とする。
【課題を解決するための手段】
【０００６】
このような目的を達成するため、本発明は、光軸に沿って物体側より順に並んだ、正の屈折力を持つ第１レンズ群と、負の屈折力を持つ第２レンズ群と、正の屈折力を持つ第３レンズ群と、正の屈折力を持つ第４レンズ群とを有するズームレンズにおいて、前記第１レンズ群は、広角端状態から望遠端状態へのズーミングに際して、一旦像側に向かって移動した後に、物体側に移動し、前記ズームレンズの広角端状態における焦点距離をｆｗとし、前記ズームレンズの望遠端状態における焦点距離をｆｔとし、前記ズームレンズの広角端状態におけるレンズ全長をＴＬｗとし、前記ズームレンズの望遠端状態におけるレンズ全長をＴＬｔとし、前記第２レンズ群のレンズ構成長をＬＧ２としたとき、次式  ０．０５０＜ｆｗ／ＴＬｗ＜０．１００  ，  ０．１０＜ｆｔ／ＴＬｔ＜０．８０  及び  ０．１０＜ｆｗ／ＬＧ２＜０．６４  の条件を満足する。
【０００７】
なお、本発明において、前記第１レンズ群の焦点距離をｆＧ１としたとき、次式  ０．０１＜ｆｗ／ｆＧ１＜０．１１の条件を満足することが好ましい。
【０００８】
また、本発明において、前記第１レンズ群の焦点距離をｆＧ１としたとき、次式  ０．３＜ｆｔ／ｆＧ１＜１．０の条件を満足することが好ましい。
【０００９】
また、本発明において、広角端状態から望遠端状態へのズーミングに際して、前記第１レンズ群、前記第２レンズ群、前記第３レンズ群及び前記第４レンズ群の各群が移動することが好ましい。
【００１０】
また、本発明において、前記第１レンズ群が接合レンズのみで構成されていることが好ましい。
【００１１】
また、本発明において、前記第４レンズ群が単レンズのみで構成されていることが好ましい。
【００１２】
また、本発明において、前記第４レンズ群は、正レンズを有し、前記正レンズは、メニスカス形状を有することが好ましい。
【００１３】
また、本発明において、前記第４レンズ群は、正レンズを有し、前記正レンズは、像側に凹面を向けたメニスカス形状を有することが好ましい。
【００１４】
また、本発明において、前記第４レンズ群は、非球面を有することが好ましい。
【００１５】
また、本発明において、前記第１レンズ群は、物体側より順に並んだ、負レンズと、正レンズとを有することが好ましい。
【００１６】
また、本発明において、前記第４レンズ群を光軸方向に移動させて、無限遠物体から近距離物体への合焦を行うことが好ましい。
【００１７】
また、本発明の光学機器（例えば、本実施形態におけるデジタルスチルカメラＣＡＭ）は、上記いずれかのズームレンズを搭載する。
【００１８】
また、本発明は、光軸に沿って物体側より順に並んだ、正の屈折力を持つ第１レンズ群と、負の屈折力を持つ第２レンズ群と、正の屈折力を持つ第３レンズ群と、正の屈折力を持つ第４レンズ群とを有するズームレンズの製造方法であって、前記第１レンズ群は、広角端状態から望遠端状態へのズーミングに際して、一旦像側に向かって移動した後に、物体側に移動し、前記ズームレンズの広角端状態における焦点距離をｆｗとし、前記ズームレンズの望遠端状態における焦点距離をｆｔとし、前記ズームレンズの広角端状態におけるレンズ全長をＴＬｗとし、前記ズームレンズの望遠端状態におけるレンズ全長をＴＬｔとし、前記第２レンズ群のレンズ構成長をＬＧ２としたとき、次式  ０．０５０＜ｆｗ／ＴＬｗ＜０．１００  ，  ０．１０＜ｆｔ／ＴＬｔ＜０．８０  及び  ０．１０＜ｆｗ／ＬＧ２＜０．６４  の条件を満足するように、レンズ鏡筒内に各レンズを組み込み、動作確認を行う。
【発明の効果】
【００１９】
本発明によれば、固体撮像素子等を用いたビデオカメラや電子スチルカメラ等に好適で、広角端状態における画角が広く、超小型で、高画質なズームレンズ、光学機器及びズームレンズの製造方法を提供することができる。
【図面の簡単な説明】
【００２０】
【図１】第１実施例に係るズームレンズの構成及び広角端状態（Ｗ）から望遠端状態（Ｔ）までのズーム軌道を示す図である。
【図２】第１実施例に係るズームレンズの諸収差図であり、（ａ）は広角端状態における撮影距離無限遠での諸収差図であり、（ｂ）は広角端側の中間焦点距離状態における撮影距離無限遠での諸収差図である。
【図３】第１実施例に係るズームレンズの諸収差図であり、（ａ）は望遠端側の中間焦点距離状態における撮影距離無限遠での諸収差図であり、（ｂ）は望遠端状態における撮影距離無限遠での諸収差図である。
【図４】第２実施例に係るズームレンズの構成及び広角端状態（Ｗ）から望遠端状態（Ｔ）までのズーム軌道を示す図である。
【図５】第２実施例に係るズームレンズの諸収差図であり、（ａ）は広角端状態における撮影距離無限遠での諸収差図であり、（ｂ）は広角端側の中間焦点距離状態における撮影距離無限遠での諸収差図である。
【図６】第２実施例に係るズームレンズの諸収差図であり、（ａ）は望遠端側の中間焦点距離状態における撮影距離無限遠での諸収差図であり、（ｂ）は望遠端状態における撮影距離無限遠での諸収差図である。
【図７】第３実施例に係るズームレンズの構成及び広角端状態（Ｗ）から望遠端状態（Ｔ）までのズーム軌道を示す図である。
【図８】第３実施例に係るズームレンズの諸収差図であり、（ａ）は広角端状態における撮影距離無限遠での諸収差図であり、（ｂ）は広角端側の中間焦点距離状態における撮影距離無限遠での諸収差図である。
【図９】第３実施例に係るズームレンズの諸収差図であり、（ａ）は望遠端側の中間焦点距離状態における撮影距離無限遠での諸収差図であり、（ｂ）は望遠端状態における撮影距離無限遠での諸収差図である。
【図１０】第４実施例に係るズームレンズの構成及び広角端状態（Ｗ）から望遠端状態（Ｔ）までのズーム軌道を示す図である。
【図１１】第４実施例に係るズームレンズの諸収差図であり、（ａ）は広角端状態における撮影距離無限遠での諸収差図であり、（ｂ）は広角端側の中間焦点距離状態における撮影距離無限遠での諸収差図である。
【図１２】第４実施例に係るズームレンズの諸収差図であり、（ａ）は望遠端側の中間焦点距離状態における撮影距離無限遠での諸収差図であり、（ｂ）は望遠端状態における撮影距離無限遠での諸収差図である。
【図１３】本実施形態に係るデジタルカメラの外観図であり、（ａ）はデジタルスチルカメラの正面図であり、（ｂ）はデジタルスチルカメラの背面図である。
【図１４】本実施形態に係るズームレンズの製造方法を説明するためのフローチャートである。
【発明を実施するための形態】
【００２１】
以下、本実施形態について、図面を参照しながら説明する。本実施形態に係るズームレンズは、図１に示すように、光軸に沿って物体側より順に並んだ、正の屈折力を持つ第１レンズ群Ｇ１と、負の屈折力を持つ第２レンズ群Ｇ２と、正の屈折力を持つ第３レンズ群Ｇ３と、正の屈折力を持つ第４レンズ群Ｇ４とを有するズームレンズにおいて、前記第１レンズ群は、広角端状態から望遠端状態へのズーミングに際して、一旦像側に向かって移動した後に、物体側に移動し、ズームレンズの広角端状態における焦点距離をｆｗとし、望遠端状態における焦点距離をｆｔとし、ズームレンズの広角端状態におけるレンズ全長をＴＬｗとし、ズームレンズの望遠端状態におけるレンズ全長をＴＬｔとし、第２レンズ群Ｇ２のレンズ構成長をＬＧ２としたとき、以下の条件式（１）〜（３）を満足する。
【００２２】
０．０５０＜ｆｗ／ＴＬｗ＜０．１００  …（１）
０．１０  ＜ｆｔ／ＴＬｔ＜０．８０    …（２）
０．１０  ＜ｆｗ／ＬＧ２＜０．６４    …（３）
【００２３】
本実施形態に係るズームレンズでは、上記のように、第１レンズ群Ｇ１が、広角端状態から望遠端状態へのズーミングに際して、一旦像側に向かって移動した後に、物体側に移動（Ｕターン）する。この構成によれば、最も軸外光線の高さが高くなる広角端近傍のズーム位置で第１レンズ群Ｇ１を像側へ近づけることができ、その結果、軸外光線の一部をケラれ難くすることができる。
【００２４】
上記条件式（１）は、本実施形態に係るズームレンズの広角端状態における焦点距離と、広角端状態におけるレンズ全長に関する式である。この条件式（１）の上限値を上回ると、広画角を得ることが困難となり好ましくない。また、広画角を満足した場合、各群のパワーが強くなり、ズーム全域にわたって非点収差を補正することが困難となり好ましくない。一方、条件式（１）の下限値を下回ると、光学系全体が大きくなり好ましくない。また、小型化に満足した場合、広角端状態におけるコマ収差を補正することが困難となり好ましくない。
【００２５】
なお、本実施形態の効果を確実なものとするために、条件式（１）の上限値を０．０９７とすることが好ましい。また、本実施形態の効果をより確実なものとするために、条件式（１）の上限値を０．０９５とすることがより好ましい。
【００２６】
また、本実施形態の効果を確実なものとするために、条件式（１）の下限値を０．０７０とすることが好ましい。また、本実施形態の効果をより確実なものとするために、条件式（１）の下限値を０．０７５とすることがより好ましい。また、本実施形態の効果をさらに確実なものとするために、条件式（１）の下限値を０．０８０とすることがさらに好ましい。
【００２７】
上記条件式（２）は、本実施形態に係るズームレンズの望遠端状態における焦点距離と、望遠端状態におけるレンズ全長に関する式である。この条件式（２）の上限値を上回ると、各群の移動量を確保できなくなるため、ズーム全域にわたってコマ収差を補正することが困難となり好ましくない。一方、条件式（２）の下限値を下回ると、高変倍比を確保することが困難となり好ましくない。また、望遠端状態における軸上色収差を補正することが困難となり好ましくない。
【００２８】
なお、本実施形態の効果を確実なものとするために、条件式（２）の上限値を０．４０とすることが好ましい。
【００２９】
また、本実施形態の効果を確実なものとするために、条件式（２）の下限値を０．２０とすることが好ましい。また、本実施形態の効果をより確実なものとするために、条件式（２）の下限値を０．２５とすることがより好ましい。
【００３０】
上記条件式（３）は、本実施形態に係るズームレンズの広角端状態における焦点距離と、第２レンズ群Ｇ２のレンズ構成長に関する式である。この条件式（３）の上限値を上回ると、広画角を得ることが困難となり好ましくない。また、広画角を満足した場合、第２レンズ群Ｇ２のパワーが強くなり、ズーム全域にわたってコマ収差を補正することが困難となり好ましくない。一方、条件式（３）の下限値を下回ると、第２レンズ群Ｇ２が大きくなるため、カメラ全体の大きさが大きくなり好ましくない。また、広角端状態における非点収差を補正することが困難となり好ましくない。
【００３１】
なお、本実施形態の効果を確実なものとするために、条件式（３）の下限値を０．３０とすることが好ましい。また、本実施形態の効果をより確実なものとするために、条件式（３）の下限値を０．４０とすることがより好ましい。また、本実施形態の効果をさらに確実なものとするために、条件式（３）の下限値を０．５０とすることがさらに好ましい。
【００３２】
また、本実施形態に係るズームレンズは、第１レンズ群Ｇ１の焦点距離をｆＧ１としたとき、以下の条件式（４）を満足することが好ましい。
【００３３】
０．０１＜ｆｗ／ｆＧ１＜０．１１  …（４）
【００３４】
上記条件式（４）は、本実施形態に係るズームレンズの広角端状態における焦点距離と、第１レンズ群Ｇ１の焦点距離に関する式である。この条件式（４）の上限値を上回ると、広画角を得ることが困難となり好ましくない。また、広画角を満足した場合、望遠端状態におけるコマ収差を補正することが困難となり好ましくない。一方、条件式（４）の下限値を下回ると、光学系全体が大きくなり好ましくない。また、小型化に満足した場合、望遠端状態における球面収差を補正することが困難となり好ましくない。
【００３５】
なお、本実施形態の効果を確実なものとするために、条件式（４）の下限値を０．０３とすることが好ましい。また、本実施形態の効果をより確実なものとするために、条件式（４）の下限値を０．０６とすることがさらに好ましい。
【００３６】
また、本実施形態に係るズームレンズは、第１レンズ群Ｇ１の焦点距離をｆＧ１としたとき、以下の条件式（５）を満足することが好ましい。
【００３７】
０．３＜ｆｔ／ｆＧ１＜１．０  …（５）
【００３８】
上記条件式（５）は、本実施形態に係るズームレンズの望遠端状態における焦点距離と、第１レンズ群Ｇ１の焦点距離に関する式である。この条件式（５）の上限値を上回ると、望遠端状態におけるコマ収差を補正することが困難となり好ましくない。一方、条件式（５）の下限値を下回ると、光学系全体が大きくなり好ましくない。また、小型化に満足した場合、望遠端状態における球面収差を補正することが困難となり好ましくない。
【００３９】
なお、本実施形態の効果を確実なものとするために、条件式（５）の上限値を０．７０とすることが好ましい。また、本実施形態の効果をより確実なものとするために、条件式（５）の上限値を０．６０とすることがより好ましい。
【００４０】
また、本実施形態に係るズームレンズは、広角端状態から望遠端状態へのズーミングに際して、第１レンズ群Ｇ１、第２レンズ群Ｇ２、第３レンズ群Ｇ３及び第４レンズ群Ｇ４の各群が移動することが好ましい。この構成によれば、各群の群間隔を大きく変化させることができ、短いレンズ全長でもズーム比を得ることが容易となる。また、ズーム比を得ることに各群のパワーを必要としなくなるため、各群のパワーを緩めることができ、ズーム全域にわたってコマ収差を良好に補正することが可能となる。
【００４１】
また、本実施形態に係るズームレンズは、第１レンズ群Ｇ１が接合レンズのみで構成されていることが好ましい。この構成によれば、望遠端状態における第１レンズ群Ｇ１と第２レンズ群Ｇ２との間隔を狭くすることが可能となり、倍率色収差を良好に補正することが可能となる。
【００４２】
また、本実施形態に係るズームレンズは、第４レンズ群Ｇ４が単レンズのみで構成されていることが好ましい。この構成によれば、沈胴時のレンズ長さを短くすることが可能となり好ましい。
【００４３】
また、本実施形態に係るズームレンズは、第４レンズ群Ｇ４が、正レンズを有し、この正レンズは、メニスカス形状を有することが好ましい。この構成によれば、非点収差を良好に補正することができる。
【００４４】
また、本実施形態に係るズームレンズは、第４レンズ群Ｇ４は、正レンズを有し、この正レンズは、像側に凹面を向けたメニスカス形状を有することが好ましい。この構成によれば、非点収差を良好に補正することができる。
【００４５】
また、本実施形態に係るズームレンズは、第４レンズ群Ｇ４が、非球面を有することが好ましい。この構成によれば、非点収差を良好に補正することができる。
【００４６】
また、本実施形態に係るズームレンズは、第１レンズ群Ｇ１が、物体側より順に並んだ、負レンズと、正レンズとを有することが好ましい。この構成によれば、望遠端状態における球面収差や倍率色収差を良好に補正することができる。
【００４７】
また、本実施形態に係るズームレンズは、第４レンズ群Ｇ４を光軸方向に移動させて、無限遠物体から近距離物体への合焦を行うことが好ましい。この構成によれば、近距離合焦における球面収差の変動が少ないものとなる。
【００４８】
図１３に、撮影レンズＺＬとして上記ズームレンズを備えたデジタルスチルカメラＣＡＭ（光学機器）を示す。このデジタルスチルカメラＣＡＭは、不図示の電源釦を押すと、撮影レンズＺＬの不図示のシャッタが開放されて、撮影レンズＺＬで被写体（物体）からの光が集光され、像面Ｉ（図１参照）に配置された（例えば、ＣＣＤやＣＭＯＳ等からなる）撮像素子Ｃ（図１参照）に結像される。撮像素子Ｃに結像された被写体像は、デジタルスチルカメラＣＡＭの背後に配置された液晶モニターＭに表示される。撮影者は、液晶モニター２を見ながら被写体像の構図を決めた後、レリーズ釦Ｂ１を押し下げて被写体像を撮像素子Ｃで撮影し、不図示のメモリーに記録保存する。
【００４９】
なお、このカメラＣＡＭには、被写体が暗い場合に補助光を発光する補助光発光部Ｄ、撮影レンズＺＬを広角端状態（Ｗ）から望遠端状態（Ｔ）にズーミングする際のワイド（Ｗ）−テレ（Ｔ）ボタンＢ２、及び、デジタルスチルカメラＣＡＭの種々の条件設定等に使用するファンクションボタンＢ３等が配置されている。
【００５０】
続いて、図１４を参照しながら、上記構成のズームレンズの製造方法について説明する。まず、鏡筒内に各レンズ（図１ではレンズＬ１１〜Ｌ４１）を組み込む（ステップＳ１）。各レンズを鏡筒内に組み込む際、光軸に沿った順にレンズを１つずつ鏡筒内に組み込んでもよく、一部または全てのレンズを保持部材で一体保持してから鏡筒部材と組み立ててもよい。次に、鏡筒内に各レンズが組み込まれた後、鏡筒内に各レンズが組み込まれた状態で物体の像が形成されるか、すなわち各レンズの中心が揃っているかを確認する（ステップＳ２）。続いて、ズームレンズの各種動作を確認する（ステップＳ３）。各種動作の一例としては、広角端状態から望遠端状態への変倍を行うレンズ群（本実施形態では、第１レンズ群Ｇ１〜第４レンズ群Ｇ４の各群）が光軸方向に沿って移動する変倍動作、遠距離物体から近距離物体への合焦を行うレンズ群（本実施形態では、第４レンズ群Ｇ４）が光軸方向に沿って移動する合焦動作、少なくとも一部のレンズが光軸と直交方向の成分を持つように移動する手ブレ補正動作などが挙げられる。なお、各種動作の確認順番は任意である。
【実施例】
【００５１】
以下、本実施形態に係る各実施例について、図面に基づいて説明する。以下に、表１〜表４を示すが、これらは第１実施例〜第４実施例における各諸元の表である。
【００５２】
なお、表中の［レンズ諸元］において、面番号は光線の進行する方向に沿った物体側からのレンズ面の順序を、ｒは各レンズ面の曲率半径を、ｄは各光学面から次の光学面（又は像面）までの光軸上の距離である面間隔を、ｎｄはｄ線（波長587.6nm）に対する屈折率を、νｄはｄ線に対するアッベ数を示す。なお、曲率半径の「∞」は平面又は開口を示す。また、空気の屈折率1.000000は省略する。
【００５３】
また、表中の［非球面データ］には、［レンズ諸元］に示した非球面について、その形状を次式（ａ）で示す。なお、Ｘ（ｙ）は非球面の頂点における接平面から高さｙにおける非球面上の位置までの光軸方向に沿った距離を、ｒは基準球面の曲率半径（近軸曲率半径）を、κは円錐定数を、Ａｉは第ｉ次の非球面係数を示す。また、「Ｅ-n」は、「×１０-n」を示す。例えば、1.234E-05＝1.234×10-5である。
【００５４】
Ｘ（ｙ）＝ｙ2／［ｒ×｛１＋（１−κ×ｙ2／ｒ2）1/2｝］
＋Ａ4×ｙ4＋Ａ6×ｙ6＋Ａ8×ｙ8＋Ａ10×ｙ10  …（ａ）
【００５５】
また、表中の［全体諸元］において、ｆは焦点距離を、ＦＮｏはＦナンバーを、ωは半画角を、Ｙは像高を、ＴＬはレンズ全長を、Ｂｆは最も像側に配置されている光学部材の像側の面から近軸像面までの距離を、Ｂｆ（空気換算）は最終レンズ面から近軸像面までの空気換算した際の距離を示す。
【００５６】
また、表中の［ズーミングデータ］において、広角端状態、中間焦点距離状態及び望遠端状態の各状態における、Ｄｉ（但し、ｉは整数）は第ｉ面と第（ｉ＋１）面の可変間隔を示す。
【００５７】
また、表中の［ズームレンズ群データ］において、Ｇは群番号、群初面は各群の最も物体側の面番号を、群焦点距離は各群の焦点距離を、レンズ構成長は各群の最も物体側のレンズ面から最も像側のレンズ面までの光軸上での距離を示す。
【００５８】
また、表中の［条件式］において、上記の条件式（１）〜（５）に対応する値を示す。
【００５９】
以下、全ての諸元値において、掲載されている焦点距離ｆ、曲率半径ｒ、面間隔ｄ、その他の長さ等は、特記のない場合一般に「mm」が使われるが、光学系は比例拡大又は比例縮小しても同等の光学性能が得られるので、これに限られるものではない。また、単位は「mm」に限定されることなく、他の適当な単位を用いることが可能である。
【００６０】
ここまでの表の説明は全ての実施例において共通であり、以下での説明を省略する。
【００６１】
（第１実施例）
第１実施例について、図１〜図３及び表１を用いて説明する。図１は、第１実施例に係るズームレンズＺＬ（ＺＬ１）の構成及び広角端状態（Ｗ）から望遠端状態（Ｔ）までのズーム軌道を示す。第１実施例に係るズームレンズＺＬ１は、図１に示すように、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、正の屈折力を持つ第４レンズ群Ｇ４とを有する。
【００６２】
第１レンズ群Ｇ１は、光軸に沿って物体側から順に並んだ、物体側に凸面を向けた負メニスカスレンズＬ１１と物体側に凸面を向けた正メニスカスレンズＬ１２との接合レンズから構成されている。
【００６３】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３とから構成されている。
【００６４】
第２レンズ群Ｇ２と第３レンズ群Ｇ３との間には、光量を調節することを目的とした開口絞りＳが配置されている。
【００６５】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、両凸形状の正レンズＬ３４とから構成されている。
【００６６】
第４レンズ群Ｇ４は、物体側に凸面を向けた正メニスカスレンズＬ４１から構成されている。
【００６７】
第４レンズ群Ｇ４と像面Ｉとの間には、像面Ｉに配設される撮像素子Ｃ（ＣＣＤやＣＭＯＳ等）の限界解像以上の空間周波数をカットするためのローパスフィルターや赤外カットフィルター等のガラスブロックＧ、撮像素子ＣのセンサーカバーガラスＣＶが配設されている。
【００６８】
このような構成のズームレンズＺＬ１では、広角端状態から望遠端状態へのズーミングに際して、第１レンズ群Ｇ１〜第４レンズ群Ｇ４の各群及び開口絞りＳが移動する。このとき、第１レンズ群Ｇ１と第２レンズ群Ｇ２は、一旦像側に移動し、その後物体側へと移動する。また、開口絞りＳ、第３レンズ群Ｇ３及び第４レンズ群Ｇ４は、物体側へ移動する。
【００６９】
下記の表１に、第１実施例における各諸元の値を示す。なお、表１における面番号１〜２３は、図１に示す面１〜２３に対応している。なお、第１実施例では、第５面、第１１面、第１２面、第１８面が非球面形状に形成されている。
【００７０】
（表１）
［レンズ諸元］
面番号              ｒ            ｄ          ｎｄ        νｄ
物面              ∞
１            31.1714      0.8000      1.922860      20.88
２            19.9477      3.7000      1.882997      40.76
３           204.6283        D3
４            79.4369      0.8000      1.806100      40.73
５（非球面）   5.7047      4.3000
６           -11.4129      0.5000      1.804000      46.57
７           167.3430      0.3900
８            31.8588      1.5000      1.945944      17.98
９           -40.3748        D9
10（開口絞り）  ∞         0.3000
11（非球面）   8.4088      2.6000      1.693500      53.22
12（非球面） -46.9548      0.2000
13             9.3404      2.5500      1.497820      82.56
14           -32.0335      0.5000      1.903660      31.31
15             6.3494      1.1000
16            11.2931      1.9500      1.497820      82.52
17           -19.0477        D17
18（非球面）   9.9161      1.8000      1.592014      67.02
19            24.0902        D19
20              ∞         0.2100      1.516330      64.14
21              ∞         0.6000
22              ∞         0.5000      1.516330      64.14
23              ∞          Bf
像面              ∞
［非球面データ］
第５面
κ=1.0000,A4=-1.67360E-04,A6=-2.69450E-06,A8=-4.17240E-09,A10=-6.24740E-09
第１１面
κ=1.0000,A4=-1.37760E-04,A6=5.02900E-07,A8=0.00000E+00,A10=0.00000E+00
第１２面
κ=1.0000,A4=8.36510E-05,A6=1.56840E-06,A8=0.00000E+00,A10=0.00000E+00
第１８面
κ=1.0000,A4=-1.48460E-04,A6=1.02420E-07,A8=0.00000E+00,A10=0.00000E+00
［全体諸元］
ズーム比    4.01136
広角端       中間位置      中間位置      望遠端
ｆ              4.40000       6.50000      10.50000      17.65000
ＦＮｏ              1.85748       2.05758       2.33332       2.67465
ω             44.55036      33.47522      21.12128      12.71826
Ｙ              3.65000       4.05000       4.05000       4.05000
ＴＬ             49.26345      48.06344      51.31623      58.60831
Ｂｆ              0.59998       0.60001       0.60001       0.60002
Ｂｆ（空気換算）  4.77688       6.40418       8.82632      11.11292
［ズーミングデータ］
可変間隔    広角端      中間位置      中間位置      望遠端
Ｄ３      0.49969      2.79101      7.12071      12.63808
Ｄ９     15.82231      9.93917      5.34659       2.30028
Ｄ17      4.93279      5.69730      6.79084       9.32525
Ｄ19      3.10867      4.73594      7.15807       9.44467
［ズームレンズ群データ］
群番号    群初面    群焦点距離    レンズ構成長
Ｇ１        １      42.36471          4.50
Ｇ２        ４      -6.53323          7.49
Ｇ３        11      11.77596          8.90
Ｇ４        18      27.18417          1.80
［条件式］
条件式（１）  ｆｗ／ＴＬｗ＝0.089
条件式（２）  ｆｔ／ＴＬｔ＝0.301
条件式（３）  ｆｗ／ＬＧ２＝0.587
条件式（４）  ｆｗ／ｆＧ１＝0.104
条件式（５）  ｆｔ／ｆＧ１＝0.417
【００７１】
表１に示す諸元の表から、本実施例に係るズームレンズＺＬ１では、上記条件式（１）〜（５）を全て満たすことが分かる。
【００７２】
図２〜図３は、第１実施例に係るズームレンズＺＬ１の諸収差図である。すなわち、図２（ａ）は広角端状態における撮影距離無限遠での諸収差図であり、図２（ｂ）は広角端側の中間焦点距離状態における撮影距離無限遠での諸収差図であり、図３（ａ）は望遠端側の中間焦点距離状態における撮影距離無限遠での諸収差図であり、図３（ｂ）は望遠端状態における撮影距離無限遠での諸収差図である。
【００７３】
各収差図において、ＦＮＯはＦナンバーを、Ｙは像高を示す。なお、球面収差図において、実線は球面収差を示す。また、非点収差図において、実線はサジタル像面を、破線はメリジオナル像面を示す。また、コマ収差図において、実線はメリジオナルコマを示す。以上の収差図の説明は、他の実施例においても同様とし、その説明を省略する。
【００７４】
各収差図から明らかなように、第１実施例では、広角端状態から望遠端状態までの各焦点距離状態において諸収差が良好に補正され、優れた結像性能を有することが分かる。
【００７５】
（第２実施例）
第２実施例について、図４〜図６及び表２を用いて説明する。図４は、第２実施例に係るズームレンズＺＬ（ＺＬ２）の構成及び広角端状態（Ｗ）から望遠端状態（Ｔ）までのズーム軌道を示す。第２実施例に係るズームレンズＺＬ２は、図４に示すように、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、正の屈折力を持つ第４レンズ群Ｇ４とを有する。
【００７６】
第１レンズ群Ｇ１は、光軸に沿って物体側から順に並んだ、物体側に凸面を向けた負メニスカスレンズＬ１１と物体側に凸面を向けた正メニスカスレンズＬ１２との接合レンズから構成されている。
【００７７】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３とから構成されている。
【００７８】
第２レンズ群Ｇ２と第３レンズ群Ｇ３との間には、光量を調節することを目的とした開口絞りＳが配置されている。
【００７９】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、像側に凸面を向けた正メニスカスレンズＬ３４とから構成されている。
【００８０】
第４レンズ群Ｇ４は、物体側に凸面を向けた正メニスカスレンズＬ４１から構成されている。
【００８１】
第４レンズ群Ｇ４と像面Ｉとの間には、像面Ｉに配設される撮像素子Ｃ（ＣＣＤやＣＭＯＳ等）の限界解像以上の空間周波数をカットするためのローパスフィルターや赤外カットフィルター等のガラスブロックＧ、撮像素子ＣのセンサーカバーガラスＣＶが配設されている。
【００８２】
このような構成のズームレンズＺＬ２では、広角端状態から望遠端状態へのズーミングに際して、第１レンズ群Ｇ１〜第４レンズ群Ｇ４の各群及び開口絞りＳが移動する。このとき、第１レンズ群Ｇ１と第２レンズ群Ｇ２は、一旦像側に移動し、その後物体側へと移動する。また、開口絞りＳ、第３レンズ群Ｇ３及び第４レンズ群Ｇ４は、物体側へ移動する。
【００８３】
下記の表２に、第２実施例における各諸元の値を示す。なお、表２における面番号１〜２３は、図４に示す面１〜２３に対応している。なお、第２実施例では、第５面、第１１面、第１２面、第１８面が非球面形状に形成されている。
【００８４】
（表２）
［レンズ諸元］
面番号              ｒ            ｄ          ｎｄ        νｄ
物面              ∞
１            35.2956      0.8000      1.922860      20.88
２            22.6544      3.7000      1.882997      40.76
３           190.7999      D3
４            67.6303      0.8000      1.806100      40.71
５（非球面）   6.3565      4.7000
６           -13.5784      0.5000      1.729157      54.68
７           228.2242      0.4000
８            27.0911      1.9000      1.945950      17.98
９           -95.0914        D9
10（開口絞り）  ∞         0.3000
11（非球面）   8.4701      2.6000      1.592010      67.05
12（非球面） -25.7686      0.2000
13             8.2954      2.6000      1.754999      52.32
14           -20.1046      0.5000      1.903660      31.31
15             5.5755      1.5000
16         -1000.0000      1.4000      1.497820      82.56
17           -12.9328        D17
18（非球面）  12.1411      1.7000      1.592010      67.05
19            40.9199        D19
20              ∞          0.2100      1.516330      64.14
21              ∞          0.6000
22              ∞          0.5000      1.516330      64.14
23              ∞            Bf
像面              ∞
［非球面データ］
第５面
κ=1.0000,A4=-9.60350E-05,A6=-2.54240E-06,A8=9.11340E-08,A10=-3.77080E-09
第１１面
κ=1.0000,A4=-1.35330E-04,A6=5.12240E-07,A8=0.00000E+00,A10=0.00000E+00
第１２面
κ=1.0000,A4=1.83340E-04,A6=7.99910E-07,A8=0.00000E+00,A10=0.00000E+00
第１８面
κ=1.0000,A4=-2.74370E-05,A6=1.67510E-06,A8=0.00000E+00,A10=0.00000E+00
［全体諸元］
ズーム比    4.01136
広角端      中間位置      中間位置        望遠端
ｆ              4.40000      6.50000      10.50000      17.65000
ＦＮｏ              1.87351      2.05356       2.34281       2.72209
ω             44.59754     33.28707      21.09399      12.78630
Ｙ              3.65000      4.05000       4.05000       4.05000
ＴＬ             50.51496     48.44739      50.68890      57.62954
Ｂｆ              0.59998      0.59999       0.59998       0.59999
Ｂｆ（空気換算）  4.35462      5.69690       7.38339       8.51813
［ズーミングデータ］
可変間隔    広角端      中間位置      中間位置      望遠端
Ｄ３      0.50284      3.52919      8.27342      14.70383
Ｄ９     18.04769     11.16843      5.73233       2.28794
Ｄ17      3.76806      4.21112      5.45801       8.27788
Ｄ19      2.68640      4.02867      5.71517       6.84991
［ズームレンズ群データ］
群番号    群初面    群焦点距離    レンズ構成長
Ｇ１        １      49.87397          4.50
Ｇ２        ４      -7.98240          8.30
Ｇ３        11      11.51982          8.80
Ｇ４        18      28.53352          1.70
［条件式］
条件式（１）  ｆｗ／ＴＬｗ＝0.087
条件式（２）  ｆｔ／ＴＬｔ＝0.306
条件式（３）  ｆｗ／ＬＧ２＝0.530
条件式（４）  ｆｗ／ｆＧ１＝0.088
条件式（５）  ｆｔ／ｆＧ１＝0.354
【００８５】
表２に示す諸元の表から、本実施例に係るズームレンズＺＬ２では、上記条件式（１）〜（５）を全て満たすことが分かる。
【００８６】
図５〜図６は、第２実施例に係るズームレンズＺＬ２の諸収差図である。すなわち、図５（ａ）は広角端状態における撮影距離無限遠での諸収差図であり、図５（ｂ）は広角端側の中間焦点距離状態における撮影距離無限遠での諸収差図であり、図６（ａ）は望遠端側の中間焦点距離状態における撮影距離無限遠での諸収差図であり、図６（ｂ）は望遠端状態における撮影距離無限遠での諸収差図である。
【００８７】
各収差図から明らかなように、第２実施例では、広角端状態から望遠端状態までの各焦点距離状態において諸収差が良好に補正され、優れた結像性能を有することが分かる。
【００８８】
（第３実施例）
第３実施例について、図７〜図９及び表３を用いて説明する。図７は、第３実施例に係るズームレンズＺＬ（ＺＬ３）の構成及び広角端状態（Ｗ）から望遠端状態（Ｔ）までのズーム軌道を示す。第３実施例に係るズームレンズＺＬ３は、図７に示すように、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、正の屈折力を持つ第４レンズ群Ｇ４とを有する。
【００８９】
第１レンズ群Ｇ１は、光軸に沿って物体側から順に並んだ、物体側に凸面を向けた負メニスカスレンズＬ１１と物体側に凸面を向けた正メニスカスレンズＬ１２との接合レンズから構成されている。
【００９０】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３とから構成されている。
【００９１】
第２レンズ群Ｇ２と第３レンズ群Ｇ３との間には、光量を調節することを目的とした開口絞りＳが配置されている。
【００９２】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、両凸形状の正レンズＬ３４とから構成されている。
【００９３】
第４レンズ群Ｇ４は、物体側に凸面を向けた正メニスカスレンズＬ４１から構成されている。
【００９４】
第４レンズ群Ｇ４と像面Ｉとの間には、像面Ｉに配設される撮像素子Ｃ（ＣＣＤやＣＭＯＳ等）の限界解像以上の空間周波数をカットするためのローパスフィルターや赤外カットフィルター等のガラスブロックＧ、撮像素子ＣのセンサーカバーガラスＣＶが配設されている。
【００９５】
このような構成のズームレンズＺＬ３では、広角端状態から望遠端状態へのズーミングに際して、第１レンズ群Ｇ１〜第４レンズ群Ｇ４の各群及び開口絞りＳが移動する。このとき、第１レンズ群Ｇ１と第２レンズ群Ｇ２は、一旦像側に移動し、その後物体側へと移動する。また、開口絞りＳ及び第３レンズ群Ｇ３は、物体側へ移動する。また、第４レンズ群Ｇ４は、一旦物体側に移動し、その後像側へと移動する。
【００９６】
下記の表３に、第３実施例における各諸元の値を示す。なお、表３における面番号１〜２３は、図７に示す面１〜２３に対応している。なお、第３実施例では、第５面、第１１面、第１２面、第１８面が非球面形状に形成されている。
【００９７】
（表３）
［レンズ諸元］
面番号              ｒ            ｄ          ｎｄ        νｄ
物面              ∞
１            39.9123      0.8000      1.922860      20.88
２            23.0576      3.2196      1.882997      40.76
３          4052.2893        D3
４            76.7137      0.8000      1.806100      40.73
５（非球面）   5.5125      4.0878
６           -12.7616      0.4000      1.754998      52.32
７           112.2377      0.2000
８            19.5926      1.5432      1.945944      17.98
９          -148.8716        D9
10（開口絞り）  ∞         0.3000
11（非球面）   7.2972      2.0489      1.693500      53.20
12（非球面） -29.3123      0.2000
13            10.7162      2.1519      1.497820      82.52
14           -21.7754      0.4288      1.903658      31.31
15             6.3577      0.9862
16            71.0409      1.4296      1.497820      82.52
17            -9.4623        D17
18（非球面）  13.3200      1.6353      1.592014      67.02
19            40.0000        D19
20              ∞         0.2100      1.516330      64.14
21              ∞         0.6000
22              ∞         0.5000      1.516330      64.14
23              ∞            Bf
像面              ∞
［非球面データ］
第５面
κ=1.0000,A4=-1.73930E-04,A6=2.20030E-06,A8=-3.03460E-07,A10=0.00000E+00
第１１面
κ=1.0000,A4=-2.22620E-04,A6=0.00000E+00,A8=0.00000E+00,A10=0.00000E+00
第１２面
κ=1.0000,A4=2.22230E-04,A6=8.36010E-07,A8=0.00000E+00,A10=0.00000E+00
第１８面
κ=1.0000,A4=2.13990E-05,A6=0.00000E+00,A8=0.00000E+00,A10=0.00000E+00
［全体諸元］
ズーム比    6.02272
広角端      中間位置      中間位置        望遠端
ｆ              4.40000      6.95000      11.95000      26.49998
ＦＮｏ              2.37724      2.77048       3.35120       4.64346
ω             44.29670     31.38125      18.65302       8.50753
Ｙ              3.65000      4.05000       4.05000       4.05000
ＴＬ             47.00001     46.60167      52.08643      67.50003
Ｂｆ              0.60000      0.60001       0.60001       0.60003
Ｂｆ（空気換算）  5.54741      6.60484       8.32500       6.64872
［ズーミングデータ］
可変間隔    広角端      中間位置      中間位置      望遠端
Ｄ３      0.50000      3.14652      8.08610      16.69326
Ｄ９     16.01226      9.79785      5.31731       2.35001
Ｄ17      4.46719      6.57931      9.88487      21.33489
Ｄ19      3.87917      4.93660      6.65675       4.98046
［ズームレンズ群データ］
群番号    群初面    群焦点距離    レンズ構成長
Ｇ１        １      47.16497          4.02
Ｇ２        ４      -6.82162          7.03
Ｇ３        11      11.40788          7.25
Ｇ４        18      32.98053          1.64
［条件式］
条件式（１）  ｆｗ／ＴＬｗ＝0.094
条件式（２）  ｆｔ／ＴＬｔ＝0.393
条件式（３）  ｆｗ／ＬＧ２＝0.626
条件式（４）  ｆｗ／ｆＧ１＝0.093
条件式（５）  ｆｔ／ｆＧ１＝0.562
【００９８】
表３に示す諸元の表から、本実施例に係るズームレンズＺＬ３では、上記条件式（１）〜（５）を全て満たすことが分かる。
【００９９】
図８〜図９は、第３実施例に係るズームレンズＺＬ３の諸収差図である。すなわち、図８（ａ）は広角端状態における撮影距離無限遠での諸収差図であり、図８（ｂ）は広角端側の中間焦点距離状態における撮影距離無限遠での諸収差図であり、図９（ａ）は望遠端側の中間焦点距離状態における撮影距離無限遠での諸収差図であり、図９（ｂ）は望遠端状態における撮影距離無限遠での諸収差図である。
【０１００】
各収差図から明らかなように、第３実施例では、広角端状態から望遠端状態までの各焦点距離状態において諸収差が良好に補正され、優れた結像性能を有することが分かる。
【０１０１】
（第４実施例）
第４実施例について、図１０〜図１２及び表４を用いて説明する。図１０は、第４実施例に係るズームレンズＺＬ（ＺＬ４）の構成及び広角端状態（Ｗ）から望遠端状態（Ｔ）までのズーム軌道を示す。第４実施例に係るズームレンズＺＬ４は、図１０に示すように、光軸に沿って物体側から順に並んだ、正の屈折力を持つ第１レンズ群Ｇ１と、負の屈折力を持つ第２レンズ群Ｇ２と、正の屈折力を持つ第３レンズ群Ｇ３と、正の屈折力を持つ第４レンズ群Ｇ４とを有する。
【０１０２】
第１レンズ群Ｇ１は、光軸に沿って物体側から順に並んだ、物体側に凸面を向けた負メニスカスレンズＬ１１と両凸形状の正レンズＬ１２との接合レンズから構成されている。
【０１０３】
第２レンズ群Ｇ２は、光軸に沿って物体側から順に並んだ、物体側に凸面を向けた負メニスカスレンズＬ２１と、両凹形状の負レンズＬ２２と、物体側に凸面を向けた正メニスカスレンズＬ２３とから構成されている。
【０１０４】
第２レンズ群Ｇ２と第３レンズ群Ｇ３との間には、光量を調節することを目的とした開口絞りＳが配置されている。
【０１０５】
第３レンズ群Ｇ３は、光軸に沿って物体側から順に並んだ、両凸形状の正レンズＬ３１と、両凸形状の正レンズＬ３２と両凹形状の負レンズＬ３３との接合レンズとから構成されている。
【０１０６】
第４レンズ群Ｇ４は、物体側に凸面を向けた正メニスカスレンズＬ４１から構成されている。
【０１０７】
第４レンズ群Ｇ４と像面Ｉとの間には、像面Ｉに配設される撮像素子Ｃ（ＣＣＤやＣＭＯＳ等）の限界解像以上の空間周波数をカットするためのローパスフィルターや赤外カットフィルター等のガラスブロックＧ、撮像素子ＣのセンサーカバーガラスＣＶが配設されている。
【０１０８】
このような構成のズームレンズＺＬ４では、広角端状態から望遠端状態へのズーミングに際して、第１レンズ群Ｇ１〜第４レンズ群Ｇ４の各群及び開口絞りＳが移動する。このとき、第１レンズ群Ｇ１と第２レンズ群Ｇ２は、一旦像側に移動し、その後物体側へと移動する。また、開口絞りＳ、第３レンズ群Ｇ３及び第４レンズ群Ｇ４は、物体側へ移動する。
【０１０９】
下記の表４に、第４実施例における各諸元の値を示す。なお、表４における面番号１〜２１は、図１０に示す面１〜２１に対応している。なお、第４実施例では、第３面、第５面、第１１面、第１２面、第１６面及び第１７面が非球面形状に形成されている。
【０１１０】
（表４）
［レンズ諸元］
面番号              ｒ            ｄ          ｎｄ        νｄ
物面              ∞
１            50.0693      0.8000      1.922860      20.88
２            37.6780      3.1500      1.768020      49.23
３（非球面）-543.3419        D3
４            81.3891      0.8000      1.806100      40.71
５（非球面）   7.1092      4.6000
６           -28.8036      0.4000      1.882997      40.76
７            35.1263      0.2000
８            17.7515      2.0000      1.945950      17.98
９           683.8801        D9
10（開口絞り）  ∞         0.3000
11（非球面）   7.0892      2.4000      1.592010      67.05
12（非球面） -23.8459      0.2000
13             7.3482      2.0000      1.754999      52.32
14            -8.0530      0.4000      1.800999      34.97
15             4.4024        D15
16（非球面）  12.5000      2.0000      1.743300      49.32
17（非球面）  68.9906        D17
18              ∞         0.2100      1.516330      64.14
19              ∞         0.6000
20              ∞         0.5000      1.516330      64.14
21              ∞            Bf
像面              ∞
［非球面データ］
第３面
κ=1.0000,A4=5.69810E-08,A6=1.33280E-10,A8=0.00000E+00,A10=0.00000E+00
第５面
κ=1.0000,A4=-4.34700E-05,A6=1.62960E-06,A8=-3.62310E-08,A10=0.00000E+00
第１１面
κ=1.0000,A4=-2.48810E-04,A6=0.00000E+00,A8=0.00000E+00,A10=0.00000E+00
第１２面
κ=1.0000,A4=1.74320E-04,A6=1.75620E-06,A8=0.00000E+00,A10=0.00000E+00
第１６面
κ=1.0000,A4=-1.11210E-04,A6=1.23010E-07,A8=0.00000E+00,A10=0.00000E+00
第１７面
κ=1.0000,A4=-1.10490E-04,A6=0.00000E+00,A8=0.00000E+00,A10=0.00000E+00
［全体諸元］
ズーム比    4.81817
広角端      中間位置      中間位置        望遠端
ｆ              4.40002      6.95003      11.94996      21.19996
ＦＮｏ              2.43156      2.75232       3.18815       3.84569
ω             44.25227     31.29533      18.45589      10.58027
Ｙ              3.65000      4.05000       4.05000       4.05000
ＴＬ             52.51649     49.42708      55.05101      66.51644
Ｂｆ              0.59988      0.59999       0.59997       0.59978
Ｂｆ（空気換算）  4.16308      5.53329       7.30753       8.19763
［ズーミングデータ］
可変間隔    広角端      中間位置      中間位置      望遠端
Ｄ３      0.49807      4.18722      12.31924      21.40722
Ｄ９     22.18679     13.00892       6.87625       3.30950
Ｄ15      6.17678      7.20589       9.05623      14.11032
Ｄ17      2.49497      3.86506       5.63932       6.52962
［ズームレンズ群データ］
群番号    群初面    群焦点距離    レンズ構成長
Ｇ１        １      63.61267          3.95
Ｇ２        ４      -9.42714          8.00
Ｇ３        11      12.24485          5.00
Ｇ４        16      20.23265          2.00
［条件式］
条件式（１）  ｆｗ／ＴＬｗ＝0.084
条件式（２）  ｆｔ／ＴＬｔ＝0.319
条件式（３）  ｆｗ／ＬＧ２＝0.550
条件式（４）  ｆｗ／ｆＧ１＝0.069
条件式（５）  ｆｔ／ｆＧ１＝0.333
【０１１１】
表４に示す諸元の表から、本実施例に係るズームレンズＺＬ４では、上記条件式（１）〜（５）を全て満たすことが分かる。
【０１１２】
図１１〜図１２は、第４実施例に係るズームレンズＺＬ４の諸収差図である。すなわち、図１１（ａ）は広角端状態における撮影距離無限遠での諸収差図であり、図１１（ｂ）は広角端側の中間焦点距離状態における撮影距離無限遠での諸収差図であり、図１２（ａ）は望遠端側の中間焦点距離状態における撮影距離無限遠での諸収差図であり、図１２（ｂ）は望遠端状態における撮影距離無限遠での諸収差図である。
【０１１３】
各収差図から明らかなように、第４実施例では、広角端状態から望遠端状態までの各焦点距離状態において諸収差が良好に補正され、優れた結像性能を有することが分かる。
【０１１４】
なお、上述の実施形態において、以下に記載の内容は、光学性能を損なわない範囲で適宜採用可能である。
【０１１５】
各実施例では、ズームレンズとして４群構成を示したが、５群、６群等の他の群構成にも適用可能である。また、最も物体側にレンズまたはレンズ群を追加した構成や、最も像側にレンズまたはレンズ群を追加した構成でも構わない。また、レンズ群とは、変倍時に変化する空気間隔で分離された、少なくとも１枚のレンズを有する部分をいう。
【０１１６】
また、本実施形態においては、単独または複数のレンズ群、または部分レンズ群を光軸方向に移動させて、無限遠物体から近距離物体への合焦を行う合焦レンズ群としてもよい。この合焦レンズ群は、オートフォーカスにも適用でき、オートフォーカス用の（超音波モーター等を用いた）モーター駆動にも適している。特に、第４レンズ群Ｇ４を合焦レンズ群とするのが好ましい。
【０１１７】
また、本実施形態において、レンズ群または部分レンズ群を光軸に垂直な方向に振動させ、または光軸を含む面内方向に回転移動（揺動）させて、手ブレによって生じる像ブレを補正する防振レンズ群としてもよい。特に、第３レンズ群Ｇ３の少なくとも一部を防振レンズ群とするのが好ましい。
【０１１８】
また、本実施形態において、レンズ面は、球面または平面で形成されても、非球面で形成されても構わない。レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。また、レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【０１１９】
また、本実施形態において、開口絞りＳは第３レンズ群Ｇ３近傍に配置されるのが好ましいが、開口絞りとしての部材を設けずにレンズ枠でその役割を代用してもよい。
【０１２０】
また、本実施形態において、各レンズ面には、フレアやゴーストを軽減して高コントラストの高い光学性能を達成するために、広い波長域で高い透過率を有する反射防止膜を施してもよい。
【０１２１】
また、本実施形態のズームレンズ（変倍光学系）は、変倍比が３〜１０程度である。
【０１２２】
また、本実施形態のズームレンズ（変倍光学系）は、第１レンズ群Ｇ１が、正レンズ成分を１つ有するのが好ましい。
【０１２３】
また、本実施形態のズームレンズ（変倍光学系）は、第２レンズ群Ｇ２が、正レンズ成分を１つと、負レンズ成分を２つ有するのが好ましい。また、物体側から順に、負負正の順番にレンズ成分を、空気間隔を介在させて配置するのが好ましい。
【０１２４】
また、本実施形態のズームレンズ（変倍光学系）は、第３レンズ群Ｇ３が、正レンズ成分を２つと、負レンズ成分を１つ有するのが好ましい。また、物体側から順に、正負正の順番にレンズ成分を、空気間隔を介在させて配置するのが好ましい。
【０１２５】
また、本実施形態のズームレンズ（変倍光学系）は、第４レンズ群Ｇ４が、正レンズ成分を１つ有するのが好ましい。
【０１２６】
なお、本発明を分かりやすくするために、実施形態の構成要件を付して説明したが、本発明がこれに限定されるものではないことは言うまでもない。
【符号の説明】
【０１２７】
ＺＬ（ＺＬ１〜ＺＬ４）  撮影レンズ（ズームレンズ）
ＣＡＭ  デジタルスチルカメラ（光学機器）
Ｇ１  第１レンズ群
Ｇ２  第２レンズ群
Ｇ３  第３レンズ群
Ｇ４  第４レンズ群
Ｓ    絞り
Ｉ    像面
Ｃ    撮像素子
Ｇ    ローパスフィルターや赤外カットフィルター等のガラスブロック
ＣＶ  撮像素子のセンサーカバーガラス
【図１】
2011232502.tif 000003
【図２】
2011232502.tif 000004
【図３】
2011232502.tif 000005
【図４】
2011232502.tif 000006
【図５】
2011232502.tif 000007
【図６】
2011232502.tif 000008
【図７】
2011232502.tif 000009
【図８】
2011232502.tif 000010
【図９】
2011232502.tif 000011
【図１０】
2011232502.tif 000012
【図１１】
2011232502.tif 000013
【図１２】
2011232502.tif 000014
【図１３】
2011232502.tif 000015
【図１４】
2011232502.tif 000016